(57)【要約】【課題】  無線の発信が制限される病院などの制限区域において、携帯電話端末の電話帳データを利用して有線電話端末から発信する際、余りコストをかけることなく、確実に電波の発信を防止できるようにする。【解決手段】  電波の発信が制限されている病院などの制限区域で、携帯電話端末１の電話帳データを利用して有線電話端末から発信する場合、ユーザは、先ず、通信ケーブル４を介して携帯電話端末１と有線電話端末とを接続する。これにより、携帯電話端末１内の無線機能無効手段113は、自端末の無線機能を無効にする。その後、ユーザは、電話帳データの選択操作を行う。携帯電話端末１内の電話帳データ転送手段112は、ユーザによって選択された電話帳データ中の電話番号を有線電話端末へ転送する。これにより、有線電話端末内の発信手段は、携帯電話端末から送られてきた電話番号に発信する。【選択図】      図２
2006304045.tif 000002
【特許請求の範囲】
【請求項１】
電話番号を含む電話帳データが格納された記憶部を有する携帯電話端末と有線電話端末とを通信ケーブルを介して接続し、前記記憶部に格納されている電話帳データを利用して前記有線電話端末から発信する発信システムであって、
前記携帯電話端末が、
前記通信ケーブルを介して前記有線電話端末と接続されたとき、自端末の無線機能を無効にする無線機能無効手段と、
前記記憶部に格納されている電話帳データの内の、ユーザによって選択された電話帳データに含まれている電話番号を、前記通信ケーブルを介して前記有線電話端末へ転送する転送手段とを備え、
前記有線電話端末が、
前記通信ケーブルを介して前記携帯電話端末から送られてきた電話番号へ発信する発信手段を備えたことを特徴とする発信システム。
【請求項２】
請求項１記載の発信システムにおいて、
前記有線電話端末が、
電源ケーブルが接続される有線側電源端子と、
該有線側電源端子に接続された電源ケーブルを介して電源を供給する電源供給部とを備え、
前記携帯電話端末が、
前記電源ケーブルが接続される携帯側電源端子と、
該携帯側電源端子に接続された前記電源ケーブルを介して供給される電源を自端末の各部に供給する電源回路とを備えたことを特徴とする発信システム。
【請求項３】
請求項２記載の発信システムにおいて、
前記携帯電話端末が、
前記無線機能を司る無線制御部を備え、且つ、
前記無線機能無効手段が、前記無線制御部の動作を停止させることにより前記無線機能を無効にする構成を有することを特徴とする発信システム。
【請求項４】
請求項３記載の発信システムにおいて、
前記無線機能無効手段が、前記無線制御部への電源供給を停止することにより前記無線機能を無効にする構成を有することを特徴とする発信システム。
【請求項５】
電話番号を含む電話帳データが格納された記憶部を有する携帯電話端末と有線電話端末とを通信ケーブル及び電源ケーブルを介して接続し、前記記憶部に格納されている電話帳データを利用して前記有線電話端末から発信する発信システムであって、
前記携帯電話端末が、
無線機能を司る無線制御部と、
前記電源ケーブルを介して前記有線電話端末から供給された電源を、自端末内の前記無線制御部を除く各部に供給する電源回路と、
前記記憶部に格納されている電話帳データの内の、ユーザによって選択された電話帳データに含まれている電話番号を、前記通信ケーブルを介して前記有線電話端末へ転送する転送手段とを備え、
前記有線電話端末が、
前記電源ケーブルを介して前記携帯電話端末へ電源を供給する電源供給部と、
前記通信ケーブルを介して前記携帯電話端末から送られてきた電話番号へ発信する発信手段とを備えたことを特徴とする発信システム。
【請求項６】
電話番号を含む電話帳データが格納された記憶部と、
通信ケーブルを介して有線電話端末と接続されたとき、自端末の無線機能を無効にする無線機能無効手段と、
前記記憶部に格納されている電話帳データの内の、ユーザによって選択された電話帳データに含まれている電話番号を、前記通信ケーブルを介して前記有線電話端末へ転送する転送手段とを備えたことを特徴とする携帯電話端末。
【請求項７】
請求項６記載の携帯電話端末において、
電源ケーブルが接続される携帯側電源端子と、
該携帯側電源端子に接続された電源ケーブルを介して前記有線電話端末から供給される電源を自端末の各部に供給する電源回路とを備えたことを特徴とする携帯電話端末。
【請求項８】
請求項７記載の携帯電話端末において、
前記無線機能を司る無線制御部を備え、且つ、
前記無線機能無効手段が、前記無線制御部の動作を停止させることにより前記無線機能を無効にする構成を有することを特徴とする携帯電話端末。
【請求項９】
請求項８記載の携帯電話端末において、
前記無線機能無効手段が、前記無線制御部への電源供給を停止することにより、前記無線機能を無効にする構成を有することを特徴とする携帯電話端末。
【請求項１０】
電話番号を含む電話帳データが格納された記憶部と、
無線機能を司る無線制御部と、
電源ケーブルを介して有線電話端末から供給された電源を、自端末内の前記無線制御部を除く各部に供給する電源回路と、
前記記憶部に格納されている電話帳データの内の、ユーザによって選択された電話帳データに含まれている電話番号を、前記通信ケーブルを介して前記有線電話端末へ転送する転送手段とを備えたことを特徴とする携帯電話端末。
【請求項１１】
電話番号を含む電話帳データが格納された記憶部を有する携帯電話端末と有線電話端末とを通信ケーブルを介して接続し、前記記憶部に格納されている電話帳データを利用して前記有線電話端末から発信する発信方法であって、
前記携帯電話端末の無線機能無効手段が、前記通信ケーブルによって前記有線電話端末と接続されたとき、自端末の無線機能を無効にし、
前記携帯電話端末の転送手段が、前記記憶部に格納されている電話帳データの内の、ユーザによって選択された電話帳データに含まれている電話番号を、前記通信ケーブルを介して前記有線電話端末へ転送し、
前記有線電話端末の発信手段が、前記通信ケーブルを介して前記携帯電話端末から送られてきた電話番号へ発信することを特徴とする発信方法。
【請求項１２】
請求項１１記載の発信方法において、
前記携帯電話端末と前記有線電話端末とを電源ケーブルを介して接続し、
前記有線電話端末の電源供給部が、前記電源ケーブルを介して前記携帯電話端末に電源を供給し、
前記携帯電話端末の電源回路が、前記電源ケーブルを介して供給される電源を自端末の各部に供給することを特徴とする発信方法。
【請求項１３】
コンピュータを、電話番号を含む電話帳データが格納された記憶部を備えた携帯電話端末の制御部として機能させるためのプログラムであって、
前記コンピュータを、
通信ケーブルを介して有線電話端末と接続されたとき、自端末の無線機能を無効にする無線機能無効手段、
前記記憶部に格納されている電話帳データの内の、ユーザによって選択された電話帳データに含まれている電話番号を、前記通信ケーブルを介して前記有線電話端末へ転送する転送手段として機能させるためのプログラム。
【発明の詳細な説明】
【技術分野】
【０００１】
本発明は、携帯電話端末の電話帳データを利用して有線電話端末から発信する発信技術に関し、特に、携帯電話端末の利用が制限される病院などにおいても、何の問題もなく利用することが可能な発信技術に関する。
【背景技術】
【０００２】
携帯電話端末から電話をかける場合、電話帳機能がよく利用される。電話帳機能とは、通話相手の氏名および電話番号を含む電話帳データを予め記憶部に登録しておき、ユーザによって電話帳データが選択されると、その電話帳データに含まれている電話番号に発信する機能である。この電話帳機能を利用することにより、電話番号を覚えたり、長い電話番号をダイヤルすることが不要になるので、非常に便利である。
【０００３】
また、携帯電話端末の電話帳データを利用して有線電話端末から発信するという技術も従来から知られている（例えば、特許文献１，２参照）。この特許文献１，２に記載されている従来の技術は、携帯電話端末と有線電話端末とをケーブルで接続し、このケーブルを介してユーザによって選択された電話帳データに含まれている電話番号を携帯電話端末から有線電話端末へ転送し、有線電話端末では、転送されてきた電話番号に従って発信動作を行うというものである。
【０００４】
一方、病院などのように電波の発信が制限される制限区域において、携帯電話端末の通信機能を停止させる技術も従来から知られている（例えば、特許文献３参照）。この特許文献３に記載されている従来の技術は、制限区域に管理者基地局を設置しておき、携帯電話端末が制限区域に入ると管理者基地局が上記携帯電話端末に対して停止信号を出力し、携帯電話端末の通信機能を停止させるというものである。
【特許文献１】特開平１１−２３４３８８号公報
【特許文献２】特開２００４−１８００１６号公報
【特許文献３】特開２００２−８４５７１号公報
【発明の開示】
【発明が解決しようとする課題】
【０００５】
上述した特許文献１，２に記載されている従来の技術によれば、ユーザが携帯電話端末による通話を行えない環境にいる場合（例えば、圏外にいる場合や、病院などのように発信が制限される制限区域にいる場合）であっても、一々電話番号を調べたり、長い電話番号をダイヤルすることなく、有線電話端末を利用して通話を行うことが可能になる。
【０００６】
しかし、この特許文献１，２に記載されている従来の技術には、病院などの制限区域において、電波を出力してしまう危険性があるという問題がある。即ち、携帯電話端末の電話帳データを利用して有線電話端末から発信する場合には、電話帳データを選択したり、選択した電話帳データ中の電話番号を有線電話端末に転送するために、携帯電話端末の電源をＯＮとすることが必要になる。従って、着信があると、着信音が出力されたり、着信ランプが点灯するため、無意識で応答してしまい、電波を出力してしまう危険性がある。
【０００７】
一方、特許文献２に記載されている従来の技術によれば、病院などの制限区域における発信を確実に防止できるが、管理者基地局を設置しなければならないため、コストがかかるという問題がある。
【０００８】
〔発明の目的〕
そこで、本発明の目的は、携帯電話端末の利用が制限される制限区域において、携帯電話端末の電話帳データを利用して有線電話端末から発信する際、余りコストをかけることなく、確実に電波の発信を防止できるようにすることにある。
【課題を解決するための手段】
【０００９】
本発明にかかる第１の発信システムは、
電話番号を含む電話帳データが格納された記憶部を有する携帯電話端末と有線電話端末とを通信ケーブルを介して接続し、前記記憶部に格納されている電話帳データを利用して前記有線電話端末から発信する発信システムであって、
前記携帯電話端末が、
前記通信ケーブルを介して前記有線電話端末と接続されたとき、自端末の無線機能を無効にする無線機能無効手段と、
前記記憶部に格納されている電話帳データの内の、ユーザによって選択された電話帳データに含まれている電話番号を、前記通信ケーブルを介して前記有線電話端末へ転送する転送手段とを備え、
前記有線電話端末が、
前記通信ケーブルを介して前記携帯電話端末から送られてきた電話番号へ発信する発信手段を備えたことを特徴とする。
【００１０】
本発明にかかる第２の発信システムは、第１の発信システムにおいて、
前記有線電話端末が、
電源ケーブルが接続される有線側電源端子と、
該有線側電源端子に接続された電源ケーブルを介して電源を供給する電源供給部とを備え、
前記携帯電話端末が、
前記電源ケーブルが接続される携帯側電源端子と、
該携帯側電源端子に接続された前記電源ケーブルを介して供給される電源を自端末の各部に供給する電源回路とを備えたことを特徴とする。
【００１１】
本発明にかかる第３の発信システムは、第２の発信システムにおいて、
前記携帯電話端末が、
前記無線機能を司る無線制御部を備え、且つ、
前記無線機能無効手段が、前記無線制御部の動作を停止させることにより前記無線機能を無効にする構成を有する。
【００１２】
本発明にかかる第４の発信システムは、第３の発信システムにおいて、
前記無線機能無効手段が、前記無線制御部への電源供給を停止することにより前記無線機能を無効にする構成を有することを特徴とする。
【００１３】
本発明にかかる第５の発信システムは、
電話番号を含む電話帳データが格納された記憶部を有する携帯電話端末と有線電話端末とを通信ケーブル及び電源ケーブルを介して接続し、前記記憶部に格納されている電話帳データを利用して前記有線電話端末から発信する発信システムであって、
前記携帯電話端末が、
無線機能を司る無線制御部と、
前記電源ケーブルを介して前記有線電話端末から供給された電源を、自端末内の前記無線制御部を除く各部に供給する電源回路と、
前記記憶部に格納されている電話帳データの内の、ユーザによって選択された電話帳データに含まれている電話番号を、前記通信ケーブルを介して前記有線電話端末へ転送する転送手段とを備え、
前記有線電話端末が、
前記電源ケーブルを介して前記携帯電話端末へ電源を供給する電源供給部と、
前記通信ケーブルを介して前記携帯電話端末から送られてきた電話番号へ発信する発信手段とを備えたことを特徴とする。
【００１４】
本発明にかかる第１の携帯電話端末は、
電話番号を含む電話帳データが格納された記憶部と、
通信ケーブルを介して有線電話端末と接続されたとき、自端末の無線機能を無効にする無線機能無効手段と、
前記記憶部に格納されている電話帳データの内の、ユーザによって選択された電話帳データに含まれている電話番号を、前記通信ケーブルを介して前記有線電話端末へ転送する転送手段とを備えたことを特徴とする。
【００１５】
本発明にかかる第２の携帯電話端末は、第１の携帯電話端末において、
電源ケーブルが接続される携帯側電源端子と、
該携帯側電源端子に接続された電源ケーブルを介して前記有線電話端末から供給される電源を自端末の各部に供給する電源回路とを備えたことを特徴とする。
【００１６】
本発明にかかる第３の携帯電話端末は、第２の携帯電話端末において、
前記無線機能を司る無線制御部を備え、且つ、
前記無線機能無効手段が、前記無線制御部の動作を停止させることにより前記無線機能を無効にする構成を有することを特徴とする。
【００１７】
本発明にかかる第４の携帯電話端末は、第３の携帯電話端末において、
前記無線機能無効手段が、前記無線制御部への電源供給を停止することにより、前記無線機能を無効にする構成を有することを特徴とする。
【００１８】
本発明にかかる第５の携帯電話端末は、
電話番号を含む電話帳データが格納された記憶部と、
無線機能を司る無線制御部と、
電源ケーブルを介して有線電話端末から供給された電源を、自端末内の前記無線制御部を除く各部に供給する電源回路と、
前記記憶部に格納されている電話帳データの内の、ユーザによって選択された電話帳データに含まれている電話番号を、前記通信ケーブルを介して前記有線電話端末へ転送する転送手段とを備えたことを特徴とする。
【００１９】
本発明にかかる第１の発信方法は、
電話番号を含む電話帳データが格納された記憶部を有する携帯電話端末と有線電話端末とを通信ケーブルを介して接続し、前記記憶部に格納されている電話帳データを利用して前記有線電話端末から発信する発信方法であって、
前記携帯電話端末の無線機能無効手段が、前記通信ケーブルによって前記有線電話端末と接続されたとき、自端末の無線機能を無効にし、
前記携帯電話端末の転送手段が、前記記憶部に格納されている電話帳データの内の、ユーザによって選択された電話帳データに含まれている電話番号を、前記通信ケーブルを介して前記有線電話端末へ転送し、
前記有線電話端末の発信手段が、前記通信ケーブルを介して前記携帯電話端末から送られてきた電話番号へ発信することを特徴とする。
【００２０】
本発明にかかる第２の発信方法は、第１の発信方法において、
前記携帯電話端末と前記有線電話端末とを電源ケーブルを介して接続し、
前記有線電話端末の電源供給部が、前記電源ケーブルを介して前記携帯電話端末に電源を供給し、
前記携帯電話端末の電源回路が、前記電源ケーブルを介して供給される電源を自端末の各部に供給することを特徴とする。
【００２１】
本発明にかかるプログラムは、
コンピュータを、電話番号を含む電話帳データが格納された記憶部を備えた携帯電話端末の制御部として機能させるためのプログラムであって、
前記コンピュータを、
通信ケーブルを介して有線電話端末と接続されたとき、自端末の無線機能を無効にする無線機能無効手段、
前記記憶部に格納されている電話帳データの内の、ユーザによって選択された電話帳データに含まれている電話番号を、前記通信ケーブルを介して前記有線電話端末へ転送する転送手段として機能させる。
【００２２】
〔作用〕
電波の発信が制限されている病院などの制限区域で、携帯電話端末の電話帳データを利用して有線電話端末から発信する場合、ユーザは、先ず、通信ケーブル及び電源ケーブルを介して携帯電話端末と有線電話端末とを接続する。これにより、携帯電話端末内の無線機能無効手段は、自端末の無線機能を無効にする。従って、携帯電話端末１から着信メロディなどが出力されることがないので、無意識で着信に応答してしまうということがなくなり、電波の発信を確実に防止することが可能になる。また、有線電話端末内の電源供給部から電源ケーブルを介して携帯電話端末に電源が供給され、携帯電話端末内の電源回路が自端末内の各部に電源を供給する。
【００２３】
その後、ユーザは、電話帳データの選択操作を行う。携帯電話端末内の転送手段は、ユーザによって電話帳データが選択されると、選択された電話帳データ中の電話番号を通信ケーブルを介して有線電話端末へ転送する。これにより、有線電話端末内の発信手段は、携帯電話端末から送られてきた電話番号に発信する。
【発明の効果】
【００２４】
本発明によれば、電波の発信が制限される制限区域において、携帯電話端末の電話帳データを利用して有線電話端末から発信する際、余りコストをかけることなく、確実に電波の発信を防止することが可能になる。その理由は、携帯電話端末に、通信ケーブルを介して有線電話端末と接続されたとき、自端末の無線機能を無効にする無線機能無効手段を設けるだけで良く、従来の技術のように、管理者基地局を設置することが不要であるからである。
【発明を実施するための最良の形態】
【００２５】
次に本発明の実施の形態について図面を参照して詳細に説明する。
【００２６】
〔第１の実施の形態の構成〕
図１は本発明にかかる発信システムの第１の実施の形態の概略構成を示すブロック図である。同図を参照すると、本実施の形態の発信システムは、携帯電話端末１と、有線電話網２に接続された有線電話端末３と、両端末１，３を接続する通信ケーブル４とから構成されている。
【００２７】
図２は携帯電話端末１の構成例を示すブロック図であり、制御部１１と、データ記憶部１２と、ＬＣＤ等のデータ表示部１３と、テンキー等の入力部１４と、接続検出部１５と、電源回路１６と、電源スイッチ１７と、無線制御部１８と、スイッチ１９と、インタフェース部２０と、データ端子２１と、送話部２２と、受話部２３とを備えている。
【００２８】
データ記憶部１２は、携帯電話端末１において利用する各種データを記憶する記憶部であり、図３に示すように、電話帳データ記憶部１２１を含んでいる。電話帳データ記憶部１２１には、データ番号と、通話相手を識別する情報（氏名，名称など）と、電話番号とを含む電話帳データが格納される。
【００２９】
データ端末２１は、通信ケーブル４と接続される端子であり、通信ケーブル４のコネクタ４１を携帯電話端末１のコネクタ挿入口（図示せず）に挿入することにより、データ端子２１と通信ケーブル４とが接続される。
【００３０】
接続検出部１５は、接続ケーブル４を介して携帯電話端末１と有線電話端末３とが接続されたことを検出する機能を有する。検出方法としては、種々の方法を採用することができるが、例えば、図１６に示すように、通信ケーブル４に、２本の信号線４３，４４を埋め込み、有線電話端末３のコネクタ挿入口に、コネクタ４２が挿入されたとき、信号線４３，４４を接続する導体３００を設け、携帯電話端末１のコネクタ挿入口にコネクタ４１が挿入されたとき、信号線４３，４４と接続される端子１００，１０１を設け、接続検出部１５において、端子１００→信号線４３→導体３００→信号線４４→端子１０１の閉回路が構成されているか否かを判定することにより、携帯電話端末１と有線電話端末３とが通信ケーブル４を介して接続されたことを検出する方法を採用することができる。
【００３１】
電源スイッチ１７は、携帯電話端末１の電源をＯＮ，ＯＦＦするためのスイッチである。
【００３２】
電源回路１６は、電源スイッチ１７がＯＮになると、その内部に収容されている蓄電池（図示せず）から携帯電話端末１の各部に電源を供給する機能を有する。但し、無線制御部１８へは、電源回路１６からスイッチ１９を介して電源が供給されるようになっている。
【００３３】
スイッチ１９は、ＯＮ，ＯＦＦの２状態をとることができるスイッチであり、制御部１１からの制御信号によってその状態を切り替える。
【００３４】
無線制御部１８は、アンテナを介して受信した着呼信号や音声信号を制御部１１に入力したり、制御部１１から入力された通信相手の電話番号や音声信号をアンテナを介して送信する機能を有する。
【００３５】
制御部１１は、電話帳データ表示手段１１１と、電話帳データ転送手段１１２と、無線機能無効手段１１３と、音声処理手段１１４とを含んでいる。
【００３６】
電話帳データ表示手段１１１は、入力部１４から入力される電話帳データの表示指示に従って電話帳データ記憶部１２１に格納されている電話帳データの内の所定の電話帳データ（例えば、データ番号が「１」の電話帳データ）をデータ表示部１３に表示する機能や、入力部１４から入力される選択指示に従ってユーザによって選択された１件分の電話帳データをデータ表示部１３に表示する機能や、入力部１４から転送指示が入力されたとき、現在表示している電話帳データ中の電話番号を電話帳データ転送手段１１２に渡す機能を有する。
【００３７】
電話帳データ転送手段１１２は、電話帳データ表示手段１１１から渡された電話番号を、インタフェース部２０、データ端子２１及び通信ケーブル４を介して有線電話端末３へ転送する機能を有する。
【００３８】
無線機能無効手段１１３は、通信ケーブル４を介して有線電話端末３と接続されたことが接続検出部１５によって検出されたとき、携帯電話端末１の無線機能を無効にする機能を有する。
【００３９】
音声処理手段１１４は、送話部２２から入力された音声信号を無線制御部１８に入力する機能や、無線制御部１８から入力された音声信号を受話部２３に出力する機能や、無線制御部１８から着呼信号が入力されたとき、着信メロディ等を受話部２３に出力したりする機能を有する。
【００４０】
なお、制御部１１は、ＣＰＵ（コンピュータ）によって実現可能なものであり、コンピュータによって実現する場合には、例えば、次のようにする。コンピュータを電話帳データ表示手段１１１、電話帳データ転送手段１１２、無線機能無効手段１１３、及び音声処理手段１１４として機能させるためのプログラムを記録したディスク，半導体メモリ，その他の記録媒体を用意し、上記プログラムをコンピュータに読み取らせる。コンピュータは、読み取ったプログラムに従って自身の動作を制御することにより、自コンピュータ上に電話帳データ表示手段１１１、電話帳データ転送手段１１２、無線機能無効手段１１３、及び音声処理手段１１４を実現する。
【００４１】
図４は有線電話端末３の構成例を示すブロック図であり、制御部３１と、データ端子３２と、インタフェース部３３，３６と、テンキー等の入力部３４と、レジスタ３５と、送話部３７と、受話部３８とを含んでいる。
【００４２】
データ端子３２は、通信ケーブル４と接続される端子であり、通信ケーブル４のコネクタ４２を有線電話端末３に設けられているコネクタ挿入口に挿入することにより、データ端子３２と通信ケーブル４とが接続される。
【００４３】
制御部３１は、電話番号受信手段３１１と、発信手段３１２と、音声処理手段３１３とを含んでいる。
【００４４】
電話番号受信手段３１１は、携帯電話端末１から通信ケーブル４を介して送られてきた電話番号をレジスタ３５にセットする機能を有する。
【００４５】
発信手段３１２は、レジスタ３５にセットされた電話番号に従った発信処理を行う機能を有する。
【００４６】
音声処理手段３１３は、送話部３７から入力された音声信号をインタフェース部３６を介して有線電話網２に出力たり、有線電話網２からインタフェース部３６を介して入力された音声信号を受話部３８に出力したり、有線電話網２からインタフェース部３６を介して着呼信号が入力されたとき、受話部３８に着信メロディ等を出力する機能を有する。
【００４７】
制御部３１は、ＣＰＵ（コンピュータ）によって実現可能なものであり、コンピュータによって実現する場合は、例えば、次のようにする。コンピュータを電話番号受信手段３１１、発信手段３１２および音声処理手段３１３として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、電話番号受信手段３１１、発信手段３１２および音声処理手段３１３を実現する。
【００４８】
〔第１の実施の形態の動作〕
次に、本実施の形態の動作について説明する。
【００４９】
ユーザは、病院などのように電波の発信が制限されている制限区域において、自身の携帯電話端末１の電話帳データを利用して有線電話端末２から発信する場合、先ず、有線電話端末２の設置場所に出向き、携帯電話端末１の電源スイッチ１７をＯＮにする（図５のステップＳ５１）。これにより、電源回路１６は、自端末１内の各部に電源を供給する。
【００５０】
その後、ユーザは、携帯電話端末１と有線電話端末３とを通信ケーブル４により接続する（ステップＳ５２）。
【００５１】
接続検出部１５は、通信ケーブル４を介して携帯電話端末１と有線電話端末３とが接続されたことを検出すると、制御部１１に対して接続検出信号を出力する。これにより、制御部１１内の無線機能無効手段１１３は、図６のフローチャートに示すように、携帯電話端末１の無線機能を無効にする（ステップＳ６１）。具体的には、無線機能無効手段１１３は、スイッチ１９に制御信号を入力して、その状態をＯＦＦすることにより、携帯電話端末１の無線機能を無効にする。即ち、無線制御部１８に電源が供給されなくなるので、無線機能が無効になる。但し、無線機能を無効にする方法は、これに限定されるものではない。このように、携帯電話端末１の無線機能を無効にしておくことにより、携帯電話端末１から着信メロディなどが出力されることがないので、無意識で着信に応答してしまうということがなくなり、電波の発信を確実に防止することが可能になる。
【００５２】
その後、ユーザは、図５のフローチャートに示すように、入力部１４から電話帳データの表示指示を入力し、更に、データ表示部１３に通話相手の電話帳データが表示されるまで、繰り返し選択指示を入力する（ステップＳ５３）。
【００５３】
制御部１１内の電話帳データ表示手段１１１は、入力部１４から電話帳データの表示指示が入力されると、図７のフローチャートに示すように、電話帳データ記憶部１２１から所定の電話帳データ（例えば、データ番号が「１」の電話帳データ）を入力してデータ表示部１３に表示する（ステップＳ７１）。また、電話帳データ表示手段１１１は、入力部１４から選択指示が入力される毎に（ステップＳ７２がＹＥＳとなる毎に）、その指示に従って電話帳データ記憶部１２１から電話帳データを取り出し、データ表示部１３に電話帳データを表示する（ステップＳ７４）。
【００５４】
ユーザは、データ表示部１３に通信相手の電話帳データが表示されると、図５のフローチャートに示すように、入力部１４から転送指示を入力する（ステップＳ５４）。
【００５５】
電話帳データ表示手段１１１は、入力部１４から転送指示が入力されると（図７のステップＳ７３がＹＥＳ）、現在データ表示部１３に表示している電話帳データ中の電話番号を電話帳データ転送手段１１２に渡す（ステップＳ７５）。
【００５６】
これにより、電話帳データ転送手段１１２は、図８のフローチャートに示すように、電話帳データ表示手段１１１から渡された電話番号を、インタフェース部２０，通信ケーブル４を介して有線電話端末３へ転送する（ステップＳ８１）。
【００５７】
有線電話端末３内の電話番号受信手段３１１は、インタフェース部３３を介して携帯電話端末１からの電話番号を受信すると、図９のフローチャートに示すように、受信した電話番号をレジスタ３５にセットした後、発信手段３１２に対して発信を指示する（ステップＳ９１，Ｓ９２）。これにより、発信手段３１２は、図１０のフローチャートに示すように、レジスタ３５にセットされている電話番号に発信する（ステップＳ１０１）。
【００５８】
ユーザは、通話相手が応答すると、有線電話端末３を利用して通話を行うと共に、携帯電話端末１の電源スイッチ１７をＯＦＦする（ステップＳ５５，Ｓ５６）。また、通話が終了すると、通信ケーブル４を携帯電話端末１から取り外す（ステップＳ５７）。
【００５９】
〔第１の実施の形態の効果〕
本実施の形態によれば、電波の発信が制限される制限区域において、携帯電話端末１の電話帳データを利用して有線電話端末３から発信する際、余りコストをかけることなく、確実の電波の発信を防止することが可能になる。その理由は、携帯電話端末１に、通信ケーブル４を介して有線電話端末３と接続されたとき、自端末１の無線機能を無効にする無線機能無効手段１１３を設けるだけで良く、従来の技術のように、管理者基地局を設置することが不要であるからである。
【００６０】
〔第２の実施の形態〕
次に、本発明の第２の実施の形態について説明する。本実施の形態は、携帯電話端末の電話帳データを利用して有線電話端末から発信する際、有線電話端末から携帯電話端末に電源を供給することを特徴とする。
【００６１】
〔第２の実施の形態の構成〕
本実施の形態は、図２に示した携帯電話端末１の代わりに図１１に示した携帯電話端末１ａを使用し、図４に示した有線電話端末３の代わりに図１２に示した有線電話端末３ａを使用し、通信ケーブル４の代わりに図１３に示した接続ケーブル５を使用することにより実現される。
【００６２】
図１３を参照すると、接続ケーブル５は、通信ケーブル５１と電源ケーブル５２とを含み、両端にはコネクタ５３，５４が設けられている。
【００６３】
図１１を参照すると、携帯電話端末１ａは、接続検出部１５の代わりに接続検出部１５ａを備えている点、電源回路１６の代わりに電源回路１６ａを備えている点、および電源端子２４が追加されている点が図２に示した携帯電話端末１と相違している。
【００６４】
接続検出部１５ａは、接続ケーブル５を介して携帯電話端末１ａと有線電話端末３ａとが接続されたことを検出する機能を有する。
【００６５】
電源端子２４は、電源ケーブル５２と接続される端子であり、接続ケーブル５のコネクタ５３を携帯電話端末１ａに設けられているコネクタ挿入口に挿入することにより、電源端子２４は電源ケーブル５２と接続される。また、コネクタ５３をコネクタ挿入口に挿入することにより、データ端子２１と通信ケーブル５１も接続される。
【００６６】
電源回路１６ａは、電源回路１６と同様に内部に蓄電池を有しており、電源端子２４から電源が供給されていないときは、電源スイッチ１７がＯＮとなることにより、充電池から携帯電話端末１の各部に電源を供給する。これに対して、電源端子２４から電源が供給されているときは、電源スイッチのＯＮ，ＯＦＦに関わらず、電源端子２４から供給された電源を携帯電話端末１の各部に供給する。
【００６７】
図１２を参照すると、有線電話端末３ａは、電源端子３９が追加されている点、および電源供給部４０が追加されている点が図４に示した有線電話端末３と相違している。
【００６８】
電源端子３９は、電源ケーブル５２と接続される端子であり、接続ケーブル５のコネクタ５４を有線電話端末３のコネクタ挿入口に挿入することにより、電源端子３９は電源ケーブル５２に接続される。また、コネクタ５４がコネクタ挿入口に挿入されることにより、データ端子３２と通信ケーブル５１も接続される。
【００６９】
電源供給部４０は、電源端子３９および電源ケーブル５２を介して携帯電話端末１ａへ電源を供給する機能を有する。
【００７０】
〔第２の実施の形態の動作〕
次に、本実施の形態の携帯の動作について説明する。
【００７１】
ユーザは、病院などのように電波の発信が制限される制限区域において、自身の携帯電話端末１ａの電話帳データを利用して有線電話端末３ａから発信する場合、図１４のフローチャートに示すように、有線電話端末３ａの設置場所に出向き、携帯電話端末１ａと有線電話端末３ａとを接続ケーブル５により接続する（ステップＳ１４１）。ここで、本実施の形態では、有線電話端末３ａから携帯電話端末１ａに電源を供給するようにしているので、第１の実施の形態のように、携帯電話端末１ａの電源スイッチ１７をＯＮにする必要ない。
【００７２】
接続検出部１５ａは、接続ケーブル５を介して携帯電話端末１ａと有線電話端末３ａとが接続されたことを検出すると、制御部１１に対して接続検出信号を出力する。これにより、制御部１１内の無線機能無効手段１１３が、第１の実施の形態と同様の処理（図６のステップＳ６１）を行い、携帯電話端末１ａの無線機能を無効にする。
【００７３】
その後、ユーザは、入力部１４から電話帳データの表示指示および選択指示を入力し、データ表示部１３に通話相手の電話帳データが表示されると、入力部１４から転送指示を入力する（図１４のステップＳ１４２，Ｓ１４３）。これにより、電話帳データ表示部１１１及び電話帳データ転送手段１１２は、それぞれ前述した図７のステップＳ７１〜７５の処理および図８のステップＳ８１の処理を行い、データ表示部１３に表示されている通話相手の電話帳データ中の電話番号を、通信ケーブル５１を介して有線電話端末３ａへ送信する。
【００７４】
有線電話端末３ａ内の電話番号受信手段３１１および発信手段３１２は、それぞれ前述した図９および図１０のフローチャートに示す処理を行い、インタフェース部３６を介して有線電話網２へ通話相手の電話番号を送出する。
【００７５】
そして、通話相手が応答すると、ユーザは、有線電話端末３ａを使用して通話相手と通話を行い、通話が終了すると、携帯電話端末１ａから接続ケーブル５を取り外す（図１４のステップＳ１４４，Ｓ１４５）。
【００７６】
〔第２の実施の形態の効果〕
本実施の形態によれば、第１の実施の形態が有している効果に加え、携帯電話端末１ａの蓄電池が切れている場合であっても、携帯電話端末１ａの電話帳データを利用して有線電話端末３ａから発信することが可能になる。その理由は、有線電話端末３ａに電源供給部４０を設け、有線電話端末３ａから携帯電話端末１ａへ電源を供給するようにしているからである。
【００７７】
〔第３の実施の形態〕
次に、本発明の第３の実施の形態について説明する。本実施の形態は、携帯電話端末側の制御部の構成を簡単なものとすることを特徴とする。
【００７８】
〔第３の実施の形態の構成〕
本実施の形態は、第２の実施の形態において、図１１に示した携帯電話端末１ａの代わりに、図１５に示した携帯電話端末１ｂを使用することにより実現される。
【００７９】
図１５を参照すると、本実施の形態の携帯電話端末１ｂは、制御部１１の代わりに制御部１１ｂを備えている点、電源回路１６ａの代わりに電源回路１６を備えている点、接続検出部１５ａを備えていない点、スイッチ１９を備えていない点、電源回路２５が追加されている点、及び電源端子２４から電源回路２５に電源が供給されるようになっている点が、図１１に示した携帯電話端末１ａと相違している。
【００８０】
電源回路２５は、電源端子２４から供給される電源を、無線制御部１８を除く各部に供給する機能を有する。
【００８１】
制御部１１ｂは、無線機能無効手段１１３を備えていない点が制御部１１と相違している。なお、制御部１１ｂは、ＣＰＵ（コンピュータ）によって実現可能であり、コンピュータによって実現する場合は、例えば、次のようにする。コンピュータを電話帳データ表示手段１１１、電話帳データ転送手段１１２、音声処理手段１１４として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に電話帳データ表示手段１１１、電話帳データ転送手段１１２、及び音声処理手段１１４を実現する。
【００８２】
〔第３の実施の形態の動作〕
次に、本実施の形態の動作について説明する。ここでは、第２の実施の形態との相違点についてのみ説明する。
【００８３】
ユーザは、病院などのように電波の発信が制限される制限区域で、自身の携帯電話端末１ｂの電話帳データを利用して、有線電話端末３ａから発信する場合、有線電話端末３ａの設置場所に出向き、電源スイッチ１７をＯＦＦにした状態で、携帯電話端末１ｂと有線電話端末３ａとを接続する（図１４のステップＳ１４１）。これにより、有線電話端末３ａの電源供給部４０から電源ケーブル５２を介して携帯電話端末１ｂに電源が供給される。
【００８４】
携帯電話端末１ｂ内の電源回路２５は、電源ケーブル５２を介して有線電話端末３ａから供給される電源を、携帯電話端末１ｂ内の無線制御部１８を除く各部に供給する。これ以後の動作は、第２の実施の形態と同様である。
【００８５】
〔第３の実施の形態〕
本実施の形態によれば、第２の実施の形態の効果に加え、制御部１１ｂの構成を簡単なものにすることができるという効果を得ることができる。その理由は、有線電話端末３ａから供給された電源を、携帯電話端末１ｂ内の無線制御部１８を除く各部供給する電源回路２５を備えており、無線機能無効手段１１３を不要にすることができるからである。
【産業上の利用可能性】
【００８６】
無線の発信が制限される病院などの制限区域において、携帯電話端末の電話帳データを利用して有線電話端末端末から発信する際に利用する。
【図面の簡単な説明】
【００８７】
【図１】本発明にかかる発信システムの第１の実施の形態の概要を示すブロック図である。
【図２】携帯電話端末１の構成例を示すブロック図である。
【図３】データ記憶部１２の内容例を示す図である。
【図４】有線電話端末３の構成例を示すブロック図である。
【図５】第１の実施の形態において、ユーザが行う操作を示すフローチャートである。
【図６】無線機能無効手段１１３の処理例を示すフローチャートである。
【図７】電話帳データ表示手段１１１の処理例を示すフローチャートである。
【図８】電話帳データ転送手段１１２の処理例を示すフローチャートである。
【図９】電話番号受信手段３１１の処理例を示すフローチャートである。
【図１０】発信手段３１２の処理例を示すフローチャートである。
【図１１】第２の実施の形態で使用する携帯電話端末１ａの構成例を示すブロック図である。
【図１２】第２の実施の形態で使用する有線電話端末３ａの構成例を示すブロック図である。
【図１３】接続ケーブル５の構成例を示す図である。
【図１４】第２の実施の形態において、ユーザが行う操作を示すフローチャートである。
【図１５】第３の実施の形態で使用する携帯電話端末１ｂの構成例を示すブロック図である。
【図１６】携帯電話端末と有線電話端末とが接続されたことを検出する検出方法の一例を説明するための図である。
【符号の説明】
【００８８】
１，１ａ，１ｂ…携帯電話端末
１１，１１ｂ…制御部
１１１…電話帳データ表示手段
１１２…電話帳データ転送手段
１１３…無線機能無効手段
１１４…音声処理手段
１２…データ記憶部
１２１…電話帳データ記憶部
１３…データ表示部
１４…入力部
１５，１５ａ…接続検出部
１６，１６ａ…電源回路
１７…電源スイッチ
１８…無線制御部
１９…スイッチ
２０…インタフェース部
２１…データ端子
２２…送話部
２３…受話部
２４…電源端子
２５…電源回路
２…有線電話網
３，３ａ…有線電話端末
３１…制御部
３１１…電話番号受信手段
３１２…発信手段
３１３…音声処理手段
３２…データ端子
３３…インタフェース部
３４…入力部
３５…レジスタ
３６…インタフェース部
３７…送話部
３８…受話部
３９…電源端子
４０…電源供給部
４…通信ケーブル
４１，４２…コネクタ
４３，４４…信号線
５…接続ケーブル
５１…通信ケーブル
５２…電源ケーブル
５３，５４…コネクタ
１００，１０１…端子
３００…導体
【図１】
2006304045.tif 000003
【図２】
2006304045.tif 000004
【図３】
2006304045.tif 000005
【図４】
2006304045.tif 000006
【図５】
2006304045.tif 000007
【図６】
2006304045.tif 000008
【図７】
2006304045.tif 000009
【図８】
2006304045.tif 000010
【図９】
2006304045.tif 000011
【図１０】
2006304045.tif 000012
【図１１】
2006304045.tif 000013
【図１２】
2006304045.tif 000014
【図１３】
2006304045.tif 000015
【図１４】
2006304045.tif 000016
【図１５】
2006304045.tif 000017
【図１６】
2006304045.tif 000018